(57)【特許請求の範囲】
【請求項１】
厚み方向に複数の記録層が形成された記録媒体に記録データを記録する記録装置であって、
複数の記録用光ビームの夫々を前記複数の記録層のうち対応する記録層に集光するように出射することで、前記複数の記録層の夫々に前記記録データを記録する記録手段と、
前記複数の記録層のうち一の記録層を除く他の記録層に集光するように出射される他の記録用光ビームに起因した前記一の記録層への漏れビーム特性を算出する算出手段と、
前記算出された前記漏れビーム特性に基づいて、前記複数の記録用光ビームの少なくとも一つの出射条件を調整する調整手段と、
所定の第１記録信号に基づく前記記録データである第１試しデータを前記一の記録層に記録し且つ同時に所定の第２記録信号に基づく前記記録データである第２試しデータを前記他の記録層に記録するように前記記録手段を制御する制御手段と、
前記一の記録層に記録された前記第１試しデータを読み取る読取手段と
を備え、
前記漏れビーム特性は、前記他の記録用光ビームに起因した前記一の記録層へのクロスライトの大きさであり、
前記算出手段は、前記第１試しデータを読み取ることで得られる第１再生信号と前記第１記録信号との差分に基づいて、前記漏れビーム特性を算出することを特徴とする記録装置。
【請求項２】
前記算出手段は、前記複数の記録層の夫々が順に前記一の記録層となるように複数の前記漏れビーム特性を算出し、
前記調整手段は、前記複数の漏れビーム特性に基づいて、前記出射条件を調整することを特徴とする請求項１に記載の記録装置。
【請求項３】
前記調整手段は、前記他の記録用光ビームを出射することなく前記一の記録層へ前記記録データを記録した場合の該記録データの記録品質と、前記他の記録用光ビームを出射しながら前記一の記録層へ前記記録データを記録した場合の該記録データの記録品質とが同一となるように、前記出射条件を調整することを特徴とする請求項１に記載の記録装置。
【請求項４】
前記記録品質は、アシンメトリ、変調度、ジッタ、エラーレート、ウォブル特性の少なくとも一つであることを特徴とする請求項３に記載の記録装置。
【請求項５】
前記調整手段は、前記クロスライトによる影響がゼロとなるように前記出射条件を調整することを特徴とする請求項１に記載の記録装置。
【請求項６】
前記調整手段は、前記出射条件として、前記記録用光ビームの夫々のパワーを調整することを特徴とする請求項１に記載の記録装置。
【請求項７】
前記調整手段は、前記漏れビーム特性と前記記録用光ビームの出射条件との対応付けを示す対応情報に基づき、前記出射条件を調整することを特徴とする請求項１に記載の記録装置。
【請求項８】
前記調整手段による調整結果に基づいて、前記漏れビーム特性と前記記録用光ビームの出射条件との対応付けを示す対応情報を作成する作成手段を更に備えることを特徴とする請求項１に記載の記録装置。
【請求項９】
前記調整手段による調整結果に基づいて、前記対応情報を修正する修正手段を更に備えることを特徴とする請求項７に記載の記録装置。
【請求項１０】
前記算出手段は、前記調整手段により前記出射条件が調整された後に、前記漏れビーム特性を再度算出し、
前記調整手段は、前記再度算出された漏れビーム特性に基づいて、前記出射条件を再度調整することを特徴とする請求項１に記載の記録装置。
【請求項１１】
複数のベリファイ用光ビームの夫々を前記複数の記録層のうち対応する記録層に集光するように出射することで、前記記録手段により記録された前記記録データを読み取るベリファイ手段を更に備え、
前記算出手段は、前記ベリファイ手段により読み取られた前記記録データに基づいて、前記漏れビーム特性を算出することを特徴とする請求項１に記載の記録装置。
【請求項１２】
前記算出手段は、前記記録手段により実際に記録された記録データと前記ベリファイ手段により読み取られた記録データとを比較することで、前記漏れビーム特性を算出することを特徴とする請求項１１に記載の記録装置。
【請求項１３】
前記記録媒体に対する前記記録用光ビームの進行方向において、前記ベリファイ用光ビームの集光点は、前記記録用光ビームの集光点よりも後行していることを特徴とする請求項１１に記載の記録装置。
【請求項１４】
前記記録手段は、前記複数の記録用光ビームの夫々を前記複数の記録層のうち対応する記録層に集光するように同時に出射することで、前記複数の記録層の夫々に前記データを同時に記録することを特徴とする請求項１に記載の情報記録装置。
【請求項１５】
厚み方向に複数の記録層が形成された記録媒体にデータを記録する記録方法であって、
複数の記録用光ビームの夫々を前記複数の記録層のうち対応する記録層に集光するように出射することで、前記複数の記録層の夫々に前記データを記録する記録工程と、
前記複数の記録層のうち一の記録層を除く他の記録層に集光するように出射される他の記録用光ビームに起因した前記一の記録層への漏れビーム特性を算出する算出工程と、
前記算出された前記漏れビーム特性に基づいて、前記複数の記録用光ビームの少なくとも一つの出射条件を調整する調整工程と、
所定の第１記録信号に基づく前記記録データである第１試しデータを前記一の記録層に記録し且つ同時に所定の第２記録信号に基づく前記記録データである第２試しデータを前記他の記録層に記録するように前記記録工程を制御する制御工程と、
前記一の記録層に記録された前記第１試しデータを読み取る読取工程と
を備え、
前記漏れビーム特性は、前記他の記録用光ビームに起因した前記一の記録層へのクロスライトの大きさであり、
前記算出工程は、前記第１試しデータを読み取ることで得られる第１再生信号と前記第１記録信号との差分に基づいて、前記漏れビーム特性を算出することを特徴とする記録方法。
【請求項１６】
請求項１に記載の記録装置に備えられたコンピュータを制御する記録制御用のコンピュータプログラムであって、該コンピュータを、前記記録手段、前記算出手段、前記調整手段、前記制御手段及び前記読取手段のうち少なくとも一部として機能させることを特徴とするコンピュータプログラム。
【発明の詳細な説明】
【技術分野】
【０００１】
本発明は、例えばＤＶＤレコーダ等の記録装置及び方法、並びにコンピュータをこのような記録装置として機能させるコンピュータプログラムの技術分野に関する。
【背景技術】
【０００２】
従来から、ＤＶＤ±Ｒ若しくはＤＶＤ±ＲＷ等のデータの書き込み可能な光ディスクの中には、記録データの記録される記録層が１層のみ形成された単層ディスクの他に、複数の記録層を有する多層ディスクが存在している。例えば、現在商品化されているものでは、記録層を一層だけ備えた片面１層型ＤＶＤや、片面に２層の記録層を備えた片面２層型ＤＶＤなどがある。この片面１層型ＤＶＤでは最大記録容量は約４．７ＧＢであるのに対して、片面２層型ＤＶＤでは最大記録容量は約８．５ＧＢとなっている。このように、記録層が増加するほど光ディスクの最大記録容量は増加する。【０００３】
ところで、上記のような多層ディスクに対して、記録データの記録及び記録された記録データの再生を行うことが可能な記録再生装置は、記録データの記録処理においては、通常、１つの記録層にのみ記録データを記録し、この際には他の記録層に対しては何もしていなかった。例えば、記録再生装置は、第１記録層（Ｌ０層）の全てに記録データを記録してから、第２記録層（Ｌ１層）に記録データを記録するといった記録処理を行っていた。したがって、最大記録容量は増加するものの、多層ディスクに対する記録速度は単層ディスクに対する記録速度と変わらなかった。なお、単層ディスクに対する記録速度、言い換えると１つの記録層への記録速度は、記録再生装置や光ディスクの機械的な特性などから、基準となる記録速度（１倍速の記録速度）に対して１６倍程度（ＤＶＤの場合）の記録速度が限界とされている。【０００４】
特許文献１は、多層ディスクの初期化処理に関し、２つの記録層に対して同時に初期化処理を行う技術を記載している。【０００５】
【特許文献１】特開２００４−２２１１６号公報
【発明の開示】
【発明が解決しようとする課題】
【０００６】
このように２つの記録層に対して同時に初期化を行うことにより初期化速度の増加が期待できるが、特許文献１に記載された技術では、通常の記録データの記録に用いるものよりも太い光ビームを用いた初期化処理のみが可能であり、通常の記録データの記録を２つの記録層に対して同時に適切に行うことはできない。【０００７】
また仮に記録データの記録を２つの記録層に対して同時に行なったとしても、第１記録層へデータを記録するために照射される光ビームが、第２記録層にも照射されているため、結果として記録層間でのクロスライトが発生してしまうという技術的な問題点を有している。【０００８】
本発明が解決しようとする課題は上記のようなものが例として挙げられる。本発明は、複数の記録層を有する記録媒体に対して、複数の記録層への同時記録を適切に行うことが可能な記録装置及び方法、並びにコンピュータプログラムを提供することを課題とする。
【課題を解決するための手段】
【０００９】
（記録装置）
上記課題を解決するために、本発明の記録装置は、厚み方向に複数の記録層が形成された光ディスク等の記録媒体に記録データを記録する記録装置であって、複数の記録用光ビームの夫々を前記複数の記録層のうち対応する記録層に集光するように出射することで、前記複数の記録層の夫々に前記記録データを記録する記録手段と、前記複数の記録層のうち一の記録層を除く他の記録層に集光するように出射される他の記録用光ビームに起因した前記一の記録層への漏れビーム特性を算出する算出手段と、前記算出された前記漏れビーム特性に基づいて、前記複数の記録用光ビームの少なくとも一つの（或いは、夫々の）出射条件を調整する調整手段とを備える。【００１０】
本発明の記録装置によれば、記録手段の動作により複数の記録用光ビームが、対応する記録層に集光するように出射されることで、複数の記録層の夫々にデータを記録することができる。例えば、第１の記録用光ビームが第１の記録層に集光するように出射され、第２の記録用光ビームが第２の記録層に集光するように出射されることで、第１の記録層及び第２の記録層の夫々に記録データを記録することができる。【００１１】
本発明では特に、算出手段の動作により、複数の記録層のうち一の記録層を除く他の記録層に集光するように出射される他の記録用光ビームに起因した一の記録層への漏れビーム特性が算出される。言い換えれば、一の記録層へデータを記録するために出射される（一の記録層に集光される）一の記録用光ビーム以外の他の記録用ビームに起因した一の記録層への漏れビーム特性が算出される。ここに、本発明における「漏れビーム特性」とは、他の記録用光ビームの出射が一の記録層に及ぼす影響を示す趣旨であり、言い換えれば本来一の記録層への記録データの記録に寄与しない記録用光ビーム（いわば、一の記録層に漏れこむ記録用光ビーム）の出射が一の記録層に及ぼす影響を示す趣旨である。この算出された漏れビーム特性に基づいて、調整手段の動作により、複数の記録用光ビームの出射条件が調整される。その結果、記録手段が、出射条件が調整された複数の記録用光ビームを出射することで、複数の記録層の夫々にデータが記録される。【００１２】
このように、複数の記録層を有する記録媒体に対して、複数の光ビームを各々異なる記録層に対して集光させることにより、複数の記録層への記録データの同時記録（更には、複数の記録層に記録された記録データの同時再生）を行うことができる。これにより、単一の記録層のみに対して記録の処理を行う記録装置と比較すると、本発明に係る記録装置は、複数の記録層に対して同時に記録の処理（更には、再生の処理）を行うため、記録媒体への記録速度（更には、再生速度）を速くすることができる。【００１３】
更に、漏れビーム特性に基づいて複数の記録用光ビームの夫々の（或いは、複数の記録用光ビームのうち少なくとも１つの）出射条件が調整されるため、一の記録層に一の記録用光ビームを出射すれば、他の記録層に出射される他の記録用光ビームによる影響を受けることなく（或いは、他の記録用光ビームが一の記録層への記録動作にとって障害となることなく）、一の記録層に好適に記録データを記録することができる。例えば、他の記録用光ビームに起因したクロスライトが発生することなく、一の記録層に好適に記録データを記録することができる。【００１４】
尚、記録媒体の回転数を増加させることで記録速度等を速くする試みは、本願出願人等によって従来からなされているが、記録媒体の機械的強度や記録媒体を回転させるスピンドルモーター等の仕様上の制限により限界があることが判明している。本発明は、そのような限界を超えて、更に記録速度等を速くすることができ、且つその記録データの記録品質も高品質を保つことができるという点で、従来にはない優れた利点を有する記録装置であると言える。【００１５】
以上の結果、本発明に係る記録装置によれば、複数の記録層を有する記録媒体に対して、複数の記録層への記録データの同時記録を適切に行うことが可能となる。【００１６】
本発明の記録装置の一の態様は、前記算出手段は、前記複数の記録層の夫々が順に前記一の記録層となるように複数の前記漏れビーム特性を算出し、前記調整手段は、前記複数の漏れビーム特性に基づいて、前記出射条件を調整する。【００１７】
この態様によれば、複数の記録層の夫々について、夫々の記録層に記録データを記録するために出射される記録用光ビーム以外の記録用ビームに起因した漏れビーム特性を算出することができる。従って、複数の記録層の夫々に好適に記録データを記録することが可能となる。【００１８】
本発明の記録装置の他の態様は、前記調整手段は、前記他の記録用光ビームを出射することなく前記一の記録層へ前記記録データを記録した場合の該記録データの記録品質と、前記他の記録用光ビームを出射しながら前記一の記録層へ前記記録データを記録した場合の該記録データの記録品質とが略同一となるように、前記出射条件を調整する。【００１９】
この態様によれば、夫々の記録層に記録データを記録するために出射される記録用光ビーム以外の記録用光ビームに起因した影響を排除して、夫々の記録層に好適に記録データを記録することができる。【００２０】
この態様では、前記記録品質は、アシンメトリ、変調度、ジッタ、エラーレート、ウォブル特性の少なくとも一つであるように構成してもよい。【００２１】
このように構成すれば、これらの記録品質に基づいて出射条件を調整することにより、夫々の記録層に記録データを記録するために出射される記録用光ビーム以外の記録用光ビームに起因した影響を排除して、夫々の記録層に好適に記録データを記録することができる。【００２２】
本発明の記録装置の他の態様は、前記漏れビーム特性は、前記他の記録用光ビームに起因した前記一の記録層へのクロスライトの大きさである。【００２３】
この態様によれば、一の記録層に発生する（或いは、夫々の記録層に発生する）クロスライトの大きさに基づいて、複数の記録用光ビームの出射条件を好適に調整することができる。【００２４】
上述の如く漏れビーム特性がクロスライトの大きさである記録装置の態様では、前記調整手段は、前記クロスライトによる影響が略ゼロとなるように前記出射条件を調整するように構成してもよい。【００２５】
このように構成すれば、夫々の記録層へデータを記録するために出射される記録用光ビーム以外の記録用ビームに起因して発生するクロスライトの影響を排除して、夫々の記録層に好適に記録データを記録することができる。【００２６】
本発明の記録装置の他の態様は、前記調整手段は、前記出射条件として、前記記録用光ビームの夫々のパワーを調整する。【００２７】
この態様によれば、記録用光ビームのパワーを調整すれば、比較的容易に、複数の記録層の夫々に好適に記録データを記録することができる。【００２８】
本発明の記録装置の他の態様は、前記調整手段は、前記漏れビーム特性と前記記録用光ビームの出射条件との対応付けを示す対応情報に基づき、前記出射条件を調整する。【００２９】
この態様によれば、対応情報に基づいて、記録用光ビームの出射条件を比較的容易に調整することができる。【００３０】
本発明の記録装置の他の態様は、前記調整手段による調整結果に基づいて、前記漏れビーム特性と前記記録用光ビームの出射条件との対応付けを示す対応情報を作成する作成手段を更に備える。【００３１】
この態様によれば、作成手段の動作により対応情報を作成することができる。この対応情報の作成は、調整手段の動作による複数の記録用光ビームの夫々の出射条件の調整結果に基づいて作成される。その結果、調整手段は、以後、作成された対応情報に基づいて、記録用光ビームの出射条件を比較的容易に調整することができる。【００３２】
本発明の記録装置の他の態様は、前記調整手段による調整結果に基づいて、前記対応情報を修正する修正手段を更に備える。【００３３】
この態様によれば、対応情報を適宜修正することができるため、実際の記録動作時の出射条件の調整の結果を対応情報に反映させることができる。その結果、調整手段は、実際の記録動作時の出射条件の調整の結果が反映された対応情報に基づいて、記録用光ビームの出射条件を比較的容易に且つ好適に調整することができる。【００３４】
本発明の記録装置の他の態様は、前記算出手段は、前記調整手段により前記出射条件が調整された後に、前記漏れビーム特性を再度算出し、前記調整手段は、前記再度算出された漏れビーム特性に基づいて、前記出射条件を再度調整する。【００３５】
この態様によれば、出射条件を調整した後、再度漏れビーム特性が算出される。その結果、記録用光ビームの出射条件の再度の調整が必要であれば、記録用光ビームの出射条件が再度調整される。従って、より好適な出射条件を備える記録用光ビームを用いて、複数の記録層の夫々に好適に記録データを記録することが可能となる。【００３６】
本発明の記録装置の他の態様は、前記複数の記録層の夫々に前記記録データとして試しデータを記録するように前記記録手段を制御する制御手段と、前記一の記録層に記録された前記試しデータを読み取る読取手段とを備えており、前記算出手段は、前記記録手段により実際に記録された試しデータと前記読取手段により読み取られた試しデータとを比較することで、前記漏れビーム特性を算出する。【００３７】
この態様によれば、制御手段の動作により、複数の記録層の夫々に試しデータが記録される。その後、読取手段の動作により、複数の記録層の夫々に記録された試しデータが読み取られる。その後、算出手段の動作により、記録手段により実際に記録された試しデータ（即ち、実際のオリジナルのデータ）と読取手段により読み取られた試しデータ（即ち、該試しデータが記録される記録層以外の他の記録層に集光するように出射された他の記録用光ビームの影響を受けたデータ）とが比較される。この比較の結果に基づき、算出手段は漏れビーム特性を算出する。例えば、記録手段により実際に記録された試しデータと読取手段により読み取られた試しデータとの差分より、漏れデータ特性が算出される。これにより、複数の記録用光ビームの出射条件を好適に調整することが可能となる。【００３８】
本発明の記録装置の他の態様は、複数のベリファイ用光ビームの夫々を前記複数の記録層のうち対応する記録層に集光するように出射することで、前記記録手段により記録された前記記録データを読み取るベリファイ手段を更に備え、前記算出手段は、前記ベリファイ手段により読み取られた前記記録データに基づいて、前記漏れビーム特性を算出する。【００３９】
この態様によれば、記録手段により実際に記録された記録データがベリファイ手段の動作により読み取られる（即ち、ベリファイされる）。そして、読み取られた記録データより漏れビーム特性が算出される。従って、実際に記録された記録データから得られる漏れビーム特性に基づいて、実際の記録の態様に応じて、複数の記録用光ビームの出射条件を好適に調整することが可能となる。【００４０】
特に、記録用光ビームに加えて、ベリファイ用光ビームが出射されるため、記録手段による記録データの記録動作に大きな影響を与えることなく、更には記録動作と並行してリアルタイムに複数の記録用光ビームの出射条件を好適に調整することが可能となる。【００４１】
上述の如くベリファイ手段を備える記録装置の態様では、前記算出手段は、前記記録手段により実際に記録された記録データと前記ベリファイ手段により読み取られた記録データとを比較することで、前記漏れビーム特性を算出するように構成してもよい。【００４２】
このように構成すれば、複数の記録用光ビームの出射条件をより好適に調整することが可能となる。【００４３】
上述の如くベリファイ手段を備える記録装置の態様では、前記記録媒体に対する前記記録用光ビームの進行方向において、前記ベリファイ用光ビームの集光点は、前記記録用光ビームの集光点よりも後行しているように構成してもよい。【００４４】
このように構成すれば、記録用光ビームで記録されたデータを、該記録用光ビームに後行するベリファイ用光ビームを用いて、記録手段により実際に記録された記録データを読み取ることができる。従って、より好適にリアルタイムでの記録用光ビームの出射条件の調整が行なわれる。【００４５】
本発明の記録装置の他の態様は、前記記録手段は、前記複数の記録用光ビームの夫々を前記複数の記録層のうち対応する記録層に集光するように同時に出射することで、前記複数の記録層の夫々に前記データを同時に記録する。【００４６】
この態様によれば、複数の記録層の夫々に、同時にデータを記録することができる。【００４７】
（記録方法）
上記課題を解決するために、本発明の記録方法は、厚み方向に複数の記録層が形成された記録媒体にデータを記録する記録方法であって、複数の記録用光ビームの夫々を前記複数の記録層のうち対応する記録層に集光するように出射することで、前記複数の記録層の夫々に前記データを記録する記録工程と、前記複数の記録層のうち一の記録層を除く他の記録層に集光するように出射される他の記録用光ビームに起因した前記一の記録層への漏れビーム特性を算出する算出工程と、前記算出された前記漏れビーム特性に基づいて、前記複数の記録用光ビームの少なくとも一つの出射条件を調整する調整工程とを備える。【００４８】
本発明の記録方法によれば、上述した本発明の記録装置が有する各種利益と同様の利益を享受することができる。【００４９】
尚、上述した本発明の記録装置における各種態様に対応して、本発明に係る記録方法も各種態様を採ることが可能である。【００５０】
（コンピュータプログラム）
上記課題を解決するために、本発明のコンピュータプログラムは、上述した本発明の記録装置（但し、その各種態様を含む）に備えられたコンピュータを制御する記録制御用のコンピュータプログラムであって、該コンピュータを、前記記録手段、前記算出手段及び前記調整手段のうち少なくとも一部として機能させる。【００５１】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置を比較的簡単に実現できる。【００５２】
尚、上述した本発明の記録装置における各種態様に対応して、本発明のコンピュータプログラムも各種態様を採ることが可能である。【００５３】
コンピュータ読取可能な媒体内のコンピュータプログラム製品は上記課題を解決するために、上述した本発明の記録装置（但し、その各種態様を含む）に備えられたコンピュータにより実行可能なプログラム命令を明白に具現化し、該コンピュータを、前記記録手段、前記算出手段及び前記調整手段のうち少なくとも一部として機能させる。【００５４】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置を比較的容易に実施可能となる。更に具体的には、当該コンピュータプログラム製品は、上述した本発明の記録装置として機能させるコンピュータ読取可能なコード（或いはコンピュータ読取可能な命令）から構成されてよい。【００５５】
本発明のこのような作用及び他の利得は次に説明する実施例から明らかにされる。【００５６】
以上説明したように、本発明の記録装置又は方法は、記録手段、算出手段及び調整手段、又は記録工程、算出工程及び調整工程を備える。従って、複数の記録層を有する記録媒体に対して、複数の記録層への同時記録を適切に行うことが可能となる。
【図面の簡単な説明】
【００５７】
【図１】本実施例に係る光ディスクの概略構成を示す図である。
【図２】本実施例に係る記録再生装置の概略構成を示すブロック図である。
【図３】ピエゾ素子及び収差補正素子を制御したときの光ビームの光路の変化を具体的に示す図である。
【図４】本実施例に係る記録再生装置が備える制御部の一の概略構成を示すブロック図である。
【図５】本実施例に係る記録再生装置が備える制御部の他の概略構成を示すブロック図である。
【図６】２層の記録層への同時記録を行った際の、光ディスク及び対物レンズを、光ディスク半径方向に対して垂直な方向から観察した模式図である。
【図７】２層の記録層への同時記録を行った際の、光ディスク及び対物レンズを、光ディスク半径方向に対して垂直な方向から観察した模式図である。
【図８】本実施例に係る記録再生装置の動作原理を概略的に示すフローチャートである。
【図９】対応テーブルの一具体例を概念的に示すテーブルである。
【図１０】本実施例に係る記録再生装置の他の動作原理を概略的に示すフローチャートである。
【図１１】本実施例に係る記録再生装置の他の動作原理を概略的に示すフローチャートである。
【図１２】形例に係る記録再生装置ＲＰ２の基本構成を概念的に示すブロック図である。
【図１３】光ディスクＤＫ及び対物レンズを、光ディスクＤＫ半径方向に対して垂直な方向から観察した図である。
【符号の説明】
【００５８】
１１１  第１記録層用ＨＲ
１１２  第２記録層用ＨＲ
２０６  第１記録層用ストラテジ条件回路
２０７  第２記録層用ストラテジ条件回路
２０８  層間クロスライト除去回路
Ｄ０  第１記録層用レーザ駆動回路
Ｄ１  第２記録層用レーザ駆動回路
ＤＫ  光ディスク
Ｌ０  第１記録層
Ｌ１  第２記録層
ＲＰ  記録再生装置
ＰＵ  光ピックアップ
Ｃ  制御部
ＳＰ  信号処理部
ＢＳ  ビームスプリッタ
【発明を実施するための最良の形態】
【００５９】
以下、本発明を実施するための最良の形態について実施例毎に順に図面に基づいて説明する。【００６０】
（光ディスクの構成）
まず、本実施例に係る記録再生装置によって、データの記録及び記録されたデータの再生が行われる光ディスクＤＫの構成について、図１を用いて説明する。【００６１】
図１は、２層型の光ディスクＤＫを示す概略構成図である。図１（ａ）は、光ディスクＤＫの平面図を示し、図１（ｂ）は、図１（ａ）中の切断線Ｉ−Ｉ’に沿った光ディスクＤＫの断面図を示す。光ディスクＤＫは、直径１２ｃｍ程度の円板形状であり、中心にセンターホール１０が設けられている。光ディスクＤＫの例としては、例えばＤＶＤ±ＲやＤＶＤ±ＲＷやＤＶＤ−ＲＡＭやＢＤ（Ｂｌｕ−ｒａｙ  Ｄｉｓｃ）やＨＤ  ＤＶＤなどが挙げられる。図１（ｂ）に示すように、光ディスクＤＫは、透明基板１１ａ、１１ｂとの間に、第１記録層Ｌ０と第２記録層Ｌ１とが積層された構造を有している。詳しくは、第１記録層Ｌ０と第２記録層Ｌ１の間には、図示しない誘電体層や反射膜や接着層などが形成されている。また、第１記録層Ｌ０と第２記録層Ｌ１の各記録領域には、センターホール１０を中心にスパイラル状或いは同心円状に、図示しないグルーブトラック及びランドトラック等のトラックが交互に設けられている。このトラック上には、データがＥＣＣブロックの単位で分割されて記録される。【００６２】
（記録再生装置の構成）
次に、本発明の記録装置に係る実施例としての記録再生装置ＲＰの構成について、図２を用いて説明する。【００６３】
記録再生装置ＲＰは、信号処理部ＳＰと、第１記録層用レーザ駆動回路Ｄ０と、第２記録層用レーザ駆動回路Ｄ１と、ＬＰＰ／ウォブル検出回路ＬＰＤと、制御部Ｃと、フォーカスサーボ回路ＦＳと、トラッキングサーボ回路ＴＳと、トラッキングサーボドライブ回路ＴＤと、収差補正用ドライブ回路Ｓと、トラッキングエラー信号生成回路ＴＧと、再生部Ｐと、光ピップアップＰＵと、を備えている。記録再生装置ＲＰは、光ディスクＤＫに対して、光ビーム（レーザ光）を照射することによって、データを記録すると共に、光ディスクＤＫに記録されたデータを再生する装置である。なお、本実施例に係る記録再生装置ＲＰは、図１に示したような、第１記録層Ｌ０と第２記録層Ｌ１が形成された２層型の光ディスクＤＫに対して処理を行う。【００６４】
ここで、制御部Ｃと共に本発明の「記録手段」の一具体例を構成する光ピックアップＰＵの構成について説明する。光ピップアップＰＵは、対物レンズ１０２と、対物レンズ１０２を保持するアクチュエータ部１０１と、集光レンズ１０４と、ビームスプリッタＢＳと、第１記録層用ホログラムレーザ（以下では、「ホログラムレーザ」を、単に「ＨＲ」と表記する）１１１と、第２記録層用ＨＲ１１２と、ピエゾ素子１２０と、収差補正素子１２１と、を備える。【００６５】
第１記録層用ＨＲ１１１及び第２記録層用ＨＲ１１２は、図示しないレーザチップや基板や受光素子やホログラム素子などを有して構成されている。レーザチップと受光素子は同一の基板上に配置されており、ホログラム素子は基板の光ビームの出力側に対向して設けられている。レーザチップは光ビームを出力し、受光素子は入力される光ビームを受光する。ホログラム素子は、レーザチップから出力された光ビームを、そのまま透過させると共に、当該光ビームの入射面と反対の面から入射される光ビームを屈折させて、基板上の受光素子に集光させる。このように、第１記録層用ＨＲ１１１及び第２記録層用ＨＲ１１２は、光源及びディテクタとしての機能を有している。【００６６】
第１記録層用ＨＲ１１１は、破線で示す光ビームＡ１を出射し、第２記録層用ＨＲ１１２は、一点鎖線で示す光ビームＢ１を出射する。この場合、第１記録層用ＨＲ１１１及び第２記録層用ＨＲ１１２は、各々から、互いに異なる偏光方向に対して直線偏光した光ビームを出力する。具体的には、第１記録層用ＨＲ１１１から出射される光ビームＡ１はＰ偏光（ＴＥ波）しており（以下、この光ビームを「Ｐ偏光光ビーム」と呼ぶ）、第２記録層用ＨＲ１１２から出射される光ビームＢ１はＳ偏光（ＴＭ波）している（以下、この光ビームを「Ｓ偏光光ビーム」と呼ぶ）。【００６７】
光ピックアップＰＵにおいては、第２記録層用ＨＲ１１２にピエゾ素子１２０が設けられている点で、第１記録層用ＨＲ１１１側と構成が異なる。また、第１記録層用ＨＲ１１１から出射されたＰ偏光光ビームＡ１はそのままビームスプリッタＢＳに入射しているが、第２記録層用ＨＲ１１２から出射されたＳ偏光光ビームＢ１は収差補正素子１２１を介してビームスプリッタＢＳに入射している。【００６８】
ピエゾ素子１２０は、トラッキングサーボドライブ回路ＴＤから供給されるサーボ制御信号Ｓ１４Ｔに従って、第２記録層用ＨＲ１１２をトラッキング方向に移動させる。ピエゾ素子１２０は、例えば、供給されるサーボ制御信号（電圧）Ｓ１４Ｔに相当する量だけ、トラッキング方向に伸縮する。これにより、ピエゾ素子１２０は、第２記録層用ＨＲ１１２を精度良くトラッキング方向に移動させる。以上のように、ピエゾ素子１２０は移動手段として機能する。【００６９】
収差補正素子１２１は、収差補正用ドライブ回路Ｓから供給される駆動信号Ｓ８によって駆動される。具体的には、収差補正素子１２１は、図示しない液晶層や透明電極やガラス基板などを備えて構成される。収差補正素子１２１は、例えば透明電極間に所定の電圧が印加されることで、液晶層中に含まれる液晶分子の配向方向が変化し、その屈折率が変化する。以上のように、収差補正素子１２１は補正手段として機能する。【００７０】
ここで、ピエゾ素子１２０及び収差補正素子１２１を駆動したときのＳ偏光光ビームＢ１の変化について、図３を用いて説明する。図３は、第２記録層用ＨＲ１１２、ピエゾ素子１２０、及び収差補正素子１２１を拡大して示した図である。【００７１】
図３（ａ）は、ピエゾ素子１２０を駆動したときのＳ偏光光ビームＢ１の変化について示した図である。矢印Ｅ１で示すように、ピエゾ素子１２０を制御して第２記録層用ＨＲ１１２を移動させると、Ｓ偏光光ビームＢ１は、符号Ｂ１ａや符号Ｂ１ｂで示すように光路が変更される。これにより、Ｓ偏光光ビームＢ１がビームスプリッタＢＳに入射する位置が変更される。即ち、Ｓ偏光光ビームＢ１が、光ディスクＤＫに集光される位置が変更される。このようにピエゾ素子１２０を制御して第２記録層用ＨＲ１１２を適切に移動させることにより、光ディスクＤＫの第１記録層Ｌ０と第２記録層Ｌ１との間の偏芯を吸収することができる。【００７２】
なお、ピエゾ素子１２０は、第２記録層用ＨＲ１１２をフォーカス方向に移動させるように構成してもよい。例えば光ディスクＤＫの種類などによって第１記録層Ｌ０と第２記録層Ｌ１との距離が異なる場合があるが、上記のように構成したピエゾ素子１２０を制御して、第２記録層用ＨＲ１１２をフォーカス方向に移動させることにより、この距離の違いを補正することが可能となる。【００７３】
図３（ｂ）は、収差補正素子１２１を駆動したときのＳ偏光光ビームＢ１の変化について示した図である。収差補正素子１２１を制御すると、収差補正素子１２１の屈折率または屈折率分布が変化し、収差補正素子１２１を通過するＳ偏光光ビームＢ１は符号Ｂ１ｃや符号Ｂ１ｄで示すような光ビームとなる。したがって、収差補正素子１２１に供給する駆動信号Ｓ８を制御することにより、第２記録層用ＨＲ１１２が出射するＳ偏光光ビームＢ１が対物レンズ１０２に入射する際の、対物レンズ１０２上の位置や対物レンズ１０２に入射する入射角を調節することができる。このように収差補正素子１２１を制御することにより、球面収差やコマ収差などの収差の補正を行うことが可能となる。【００７４】
尚、このようなピエゾ素子１２０や収差補正素子１２１は、第１記録層用ＨＲ１１１にも設けられるように構成してもよい。【００７５】
さらに図２に戻って説明を行う。第１記録層用ＨＲ１１１から出射されたＰ偏光光ビームＡ１及び、第２記録層用ＨＲ１１２から出射されて収差補正素子１２１を通過したＳ偏光光ビームＢ１は、ビームスプリッタＢＳに入射する。【００７６】
ビームスプリッタＢＳは、Ｓ偏光を反射し、Ｐ偏光を透過させる性質を有している。したがって、ビームスプリッタＢＳは、第１記録層用ＨＲ１１１から出射されたＰ偏光光ビームＡ１を集光レンズ１０４の方向へ透過させ、且つ、第２記録層用ＨＲ１１２から出射されて収差補正素子１２１を通過したＳ偏光光ビームＢ１を集光レンズ１０４の方向へ反射させる。【００７７】
集光レンズ１０４には、ビームスプリッタＢＳを透過したＰ偏光光ビームＡ１及びビームスプリッタＢＳによって反射されたＳ偏光光ビームＢ１が入射される。集光レンズ１０４は、これらの入射した光ビームを略平行光にして、対物レンズ１０２に入射させる。【００７８】
対物レンズ１０２は、アクチュエータ部１０１に設けられている。アクチュエータ部１０１は、対物レンズ１０２の配置位置を変更するための駆動機構を有している。アクチュエータ部１０１は、フォーカスサーボ回路ＦＳから供給されるサーボ制御信号Ｓ１１Ｆ及びトラッキングサーボ回路ＴＳから供給されるサーボ制御信号Ｓ１１Ｔに従って、対物レンズ１０２の位置をフォーカス方向及びトラッキング方向に移動させる。【００７９】
対物レンズ１０２には、集光レンズ１０４によって略平行光にされたＰ偏光光ビームＡ１及びＳ偏光光ビームＢ１が入射される。対物レンズ１０２は、これらの光ビームを集光して、光ディスクＤＫに照射する。詳しくは、対物レンズ１０２は、Ｐ偏光光ビームＡ２を光ディスクＤＫの第１記録層Ｌ０に集光し、Ｓ偏光光ビームＢ２を光ディスクＤＫの第２記録層Ｌ１に集光する。【００８０】
第１記録層Ｌ０に集光されたＰ偏光光ビームＡ２は、第１記録層Ｌ０で反射して（以下、この反射光を「Ｐ偏光反射光」という）、再度、対物レンズ１０２及び集光レンズ１０４、更にビームスプリッタＢＳを透過して第１記録層用ＨＲ１１１に入射する。即ち、第１記録層用ＨＲ１１１は、Ｐ偏光反射光を受光する。一方、第２記録層Ｌ１に集光されたＳ偏光光ビームＢ２は、第２記録層Ｌ１で反射して（以下、この反射光を「Ｓ偏光反射光」という）、再度、対物レンズ１０２及び集光レンズ１０４を透過し、更にビームスプリッタＢＳによって反射されて第２記録層用ＨＲ１１２に入射する。即ち、第２記録層用ＨＲ１１２は、Ｓ偏光反射光を受光する。【００８１】
次に、記録再生装置ＲＰの光ピックアップＰＵ以外の構成要素について説明する。【００８２】
信号処理部ＳＰは、入力端子ＩＮを有しており、制御部Ｃから供給される制御信号Ｓ１７に基づいて、入力端子ＩＮを介して外部から入力されたデータに信号処理を施し、記録信号として第１記録層用レーザ駆動回路Ｄ０及び第２記録層用レーザ駆動回路Ｄ１に出力する。なお、制御信号Ｓ１７には、第１記録層用ＨＲ１１１に対する制御信号と第２記録層用ＨＲ１１２に対する制御信号が含まれている。【００８３】
ここで、信号処理部ＳＰのより具体的な構成について、図４を参照しながら説明する。ここに、図４は、本実施例に係る記録再生装置ＲＰが備える制御部ＳＰの概略構成を示すブロック図である。【００８４】
図４に示すように、信号処理部ＳＰは、アドレス／パリティ付加回路２０１と、訂正符号付加回路２０２と、スクランブル回路２０３と、８／１６変換・ｓｙｎｃ付加回路２０４と、データ分割回路２０５と、第１記録層用ストラテジ条件回路２０６と、第２記録層用ストラテジ条件回路２０７と、層間クロスライト除去回路２０８とを備えている。【００８５】
アドレス／パリティ付加回路２０１は、入力端子ＩＮを介して外部から入力されたデータに対して、記録用のデータが記録される光ディスクＤＫ上の位置を示すアドレスを付加し、更には誤り訂正用の（ないしは、データ検証用の）パリティを付加するように構成されている。アドレス等が付加されたデータは、訂正符号付加回路２０２に供給される。【００８６】
訂正符号付加回路２０２は、アドレス等が付加されたデータに対して、誤り訂正用の訂正符号（具体的には、ＥＣＣ（Error Correction Code））を付加する。この訂正符号は、例えば所定のデータ単位毎に（例えば、３２ＫＢのデータ単位毎に）付加される。訂正符号等が付加されたデータは、スクランブル回路２０３に供給される。【００８７】
スクランブル回路２０３は、訂正符号等が付加されたデータに対してスクランブル処理を施す。スクランブル処理が施されたデータは、８／１６変換・ｓｙｎｃ付加回路２０４に供給される。【００８８】
８／１６変換・ｓｙｎｃ付加回路２０４は、スクランブル処理が施されたデータに対して、８／１６変換（８／１６変調）を施し、更に記録再生時に同期を取るためのｓｙｎｃフレームを付加する。以上の一連の処理の結果、記録信号Ｓ２０が生成される。【００８９】
データ分割回路２０５は、８／１６変換・ｓｙｎｃ付加回路２０４から供給される記録信号Ｓ２０を、第１記録層Ｌ０にデータを記録する記録信号Ｓ２１（以降、適宜“第１記録信号”と称する）と第２記録層Ｌ１にデータを記録する記録信号Ｓ２２（以降、適宜“第２記録信号”と称する）とに分割する。この分割には、例えば、一連の記録信号Ｓ２０を記録時間軸に沿って所定単位で分割する時分割の手法が用いられる。分割された後、第１記録信号Ｓ２１は第１記録層用ストラテジ条件回路２０６に供給され、第２記録信号Ｓ２２は第２記録層用ストラテジ条件回路２０７に供給される。【００９０】
第１記録層用ストラテジ条件回路２０６及び第２記録層用ストラテジ条件回路２０７の夫々は、制御部Ｃと共に本発明の「調整手段」の一具体例を構成しており、第１記録信号Ｓ２１や第２記録信号Ｓ２２に基づき、データを記録するために出射される光ビームの波形（即ち、ライトストラテジ）を規定する。具体的には、データを記録するために光ビームを出射する第１記録層用レーザ駆動回路Ｄ０及び第２記録層用レーザ駆動回路Ｄ１の夫々を駆動させるための駆動パルスの波形を規定（ないしは設定）する。例えば駆動パルスの波形の振幅を規定してもよいし、波形の幅（例えば、デューティー比や時間軸方向の長さ等）を規定してもよい。或いは、複数のパルスを組み合わせた波形（即ち、マルチパルス）を有する光ビームを出射するのであれば、複数のパルスの数、組合せ、タイミング等を規定してもよい。このように駆動パルスの波形等が規定（設定）されることで、出射される光ビームの波形等が規定される。【００９１】
このとき、第１記録層用ストラテジ条件回路２０６は、層間クロスライト除去回路２０８から供給される調整信号Ｓ２３Ｌ０に基づき、駆動パルスの波形の、特に振幅（即ち、光ビームの波形の振幅であって、光ビームのパワー）を調整する。また、第２記録層用ストラテジ条件回路２０７は、層間クロスライト除去回路２０８から供給される調整信号Ｓ２３Ｌ１に基づき、駆動パルスの波形の、特に振幅を調整する。【００９２】
層間クロスライト除去回路２０８は、制御部Ｃと共に本発明の「算出手段」の一具体例を構成しており、再生部Ｐより供給される再生信号Ｓ２５Ｌ０及びＳ２５Ｌ１と、データ分割回路２０５から供給される記録信号Ｓ２１及びＳ２２とを比較して、第２記録層用ＨＲ１１２から出射された光ビームＢ１に起因して第１記録層Ｌ０に生ずるクロスライト及び第１記録層用ＨＲ１１１から出射された光ビームＡ１に起因して第２記録層に生ずるクロスライトを算出する。【００９３】
尚、本実施例中の説明における「クロスライト」は、第２記録層用ＨＲ１１２から出射された光ビームＢ１によって、第１記録層Ｌ０の記録層の状態が意図せず変化してしまうないしは影響を受けてしまう状態、及び第１記録層用ＨＲ１１１から出射された光ビームＡ１によって、第２記録層Ｌ１の記録層の状態が意図せず変化してしまうないしは影響を受けてしまう状態を特に示している。より具体的には、例えば、第１記録層Ｌ０へのデータの記録が、第２記録層Ｌ１の特性に影響を与えてしまうような状態、或いは第２記録層Ｌ１へのデータの記録が、第１記録層Ｌ０の特性に影響を与えてしまうような状態を示している。このような「クロスライト」は、主として第１記録層Ｌ０及び第２記録層Ｌ１の夫々へのデータの記録時に発生するものであり、またこのような「クロスライト」の発生は、データの記録時及び再生時の夫々において問題となり得る。【００９４】
更に、層間クロスライト除去回路２０８は、算出されたクロスライトに基づいて、パルス波形を調整するために用いられる調整信号Ｓ２３Ｌ０及びＳ２３Ｌ１を生成し、第１記録層用ストラテジ条件回路２０６及び第２記録層用ストラテジ条件回路２０７の夫々に供給する。【００９５】
尚、信号処理部ＳＰにおいてなされる動作については、後に詳述する（図６及び図７参照）。【００９６】
また、記録再生装置ＲＰは、上述した信号処理部ＳＰに代えて、記録データの入力系統を二つ備える構成の信号処理部ＳＰ−１を備えていてもよい。この信号処理部ＳＰ−１のより具体的な構成について、図５を参照しながら説明する。ここに、図５は、本実施例に係る記録再生装置ＲＰが備える制御部ＳＰ−１の概略構成を示すブロック図である。【００９７】
図５に示すように、信号処理部ＳＰ−１は、信号処理部ＳＰと同様に、第１記録層用ストラテジ条件回路２０６と、第２記録層用ストラテジ条件回路２０７と、層間クロスライト除去回路２０８とを備えている。【００９８】
信号処理部ＳＰ−１は特に、第１記録層Ｌ０に記録されるデータを処理するためのアドレス／パリティ付加回路２０１ａと、訂正符号付加回路２０２ａと、スクランブル回路２０３ａと、８／１６変換・ｓｙｎｃ付加回路２０４ａとを備えている。更に、信号処理部ＳＰ−１は、第２記録層Ｌ１に記録されるデータを処理するためのアドレス／パリティ付加回路２０１ｂと、訂正符号付加回路２０２ｂと、スクランブル回路２０３ｂと、８／１６変換・ｓｙｎｃ付加回路２０４ｂとを備えている。【００９９】
このように、信号処理部ＳＰ−１は、記録データの入力系統を二つ有しているがゆえに、データ分割回路２０５を有していなくとも、信号処理部ＳＰと同様の動作を行なうことができる。【０１００】
再び図２において、第１記録層用レーザ駆動回路Ｄ０及び第２記録層用レーザ駆動回路Ｄ１は主として増幅回路により構成され、信号処理部ＳＰから入力された記録信号を増幅した後、光ピックアップＰＵの第１記録層用ＨＲ１１１及び第２記録層用ＨＲ１１２に記録信号を供給する。より具体的には、信号処理部ＳＰから入力された第１記録層用記録信号は、第１記録層用レーザ駆動回路Ｄ０により増幅された後、第１記録層用ＨＲ１１１に供給される。他方、信号処理部ＳＰから入力された第２記録層用記録信号は、第２記録層用レーザ駆動回路Ｄ１により増幅された後、第２記録層用ＨＲ１１２に供給される。第１記録層用レーザ駆動回路Ｄ０及び第２記録層用レーザ駆動回路Ｄ１の夫々における増幅率は信号処理部ＳＰにより制御され、光ディスクＤＫにデータを記録する場合には、光ピックアップＰＵから光ディスクＤＫの記録面に所定の変化（例えば、熱変化や相変化等）を生じさせることができるエネルギー量（以下、「記録パワー」という）の光ビームが出力されるように増幅率が制御される。これらの増幅率等は、第１記録層用ストラテジ条件回路２０６及び第２記録層用ストラテジ条件回路２０７において規定された駆動パルスによって制御される。一方、光ディスクＤＫに記録されているデータを再生する場合、光ディスクＤＫにおいて所定の変化が生じないエネルギー量（以下、「再生パワー」という）の光ビームが光ピックアップＰＵから出力されるように増幅率が制御される。【０１０１】
フォーカスサーボ回路ＦＳは、第１記録層用ＨＲ１１１から出力される受光信号Ｓ１０Ｆに基づいてフォーカスエラー信号を生成し、生成したフォーカスエラー信号に基づき補正量を算出する。受光信号Ｓ１０Ｆは、第１記録層用ＨＲ１１１が受光したＰ偏光反射光を複数の受光素子などにより受光して得られる、受光素子毎の受光光量を示す信号である。この各受光素子の受光信号Ｓ１０Ｆを演算することで、フォーカスサ−ボ制御信号Ｓ１１Ｆがフォーカスサーボ回路ＦＳにおいて生成される。フォーカスサーボ回路ＦＳは、生成したフォーカスサーボ制御信号Ｓ１１Ｆをアクチュエータ部１０１に供給する。即ち、フォーカスサーボ回路ＦＳは、フォーカスサーボ制御信号Ｓ１１Ｆを供給することによって、図示しないフォーカスアクチュエータ駆動回路を経てアクチュエータ部１０１を制御し、対物レンズ１０２の光ディスクＤＫに対する距離を調整する。【０１０２】
トラッキングサーボ回路ＴＳは、第１記録層用ＨＲ１１１から出力される受光信号Ｓ１０Ｔに基づいてトラッキングエラー信号を生成し、生成したトラッキングエラー信号に基づき補正量を算出する。受光信号Ｓ１０Ｔは、第１記録層用ＨＲ１１１が受光したＰ偏光反射光を複数の受光素子などにより受光して得られる、受光素子毎の受光光量を示す信号である。この各受光素子の受光信号Ｓ１０Ｔを演算することで、トラッキングサ−ボ制御信号Ｓ１１Ｔがトラッキングサーボ回路ＴＳにおいて生成される。トラッキングサーボ回路ＴＳは、生成したトラッキングサーボ制御信号Ｓ１１Ｔをアクチュエータ部１０１に供給する。即ち、トラッキングサーボ回路ＴＳは、トラッキングサーボ制御信号Ｓ１１Ｔを供給することによって、図示しないトラッキングアクチュエータ駆動回路を経てアクチュエータ部１０１を制御し、対物レンズ１０２を光ディスクの径方向（トラッキング方向）に移動させる。【０１０３】
トラッキングエラー信号生成回路ＴＧは、第２記録層用ＨＲ１１２から出力される受光信号Ｓ１２Ｔに基づいてトラッキングエラー信号Ｓ１３Ｔを生成する。受光信号Ｓ１２Ｔは、第２記録層用ＨＲ１１２が受光したＳ偏光反射光を複数の受光素子などにより受光して得られる、受光素子毎の受光光量を示す信号である。ここで、前述のように、本実施例の光ピックアップＰＵでは、トラッキングサーボ回路ＴＳにより、第１記録層Ｌ０に対するトラッキング制御が行われており、Ｐ偏光光ビームＡ２は第１記録層Ｌ０上の記録トラックに追従している。よって、第２記録層Ｌ１から得られる受光信号Ｓ１２Ｔに基づいて生成したトラッキングエラー量は、第１記録層Ｌ０と第２記録層Ｌ１との間の偏芯量を示すことになる。【０１０４】
トラッキングサーボドライブ回路ＴＤは、生成されたトラッキングエラー信号Ｓ１３Ｔに基づき補正量を算出する。より具体的には、トラッキングサーボドライブ回路ＴＤは、トラッキングエラー信号生成回路ＴＧにおいて生成されたトラッキングエラー信号Ｓ１３Ｔに基づいて、光ディスクＤＫの第１記録層Ｌ０と第２記録層Ｌ１との間に生じている偏芯量を求め、この偏芯量によって発生するエラー信号が概ね「０」となるようなサーボ制御信号Ｓ１４Ｔを生成する。その後、トラッキングサーボドライブ回路ＴＤは、生成したサーボ制御信号Ｓ１４Ｔをピエゾ素子１２０に供給する。即ち、トラッキングサーボドライブ回路ＴＤは、サーボ制御信号Ｓ１４Ｔを供給することによってピエゾ素子１２０を制御し、光ディスクＤＫの第１記録層Ｌ０と第２記録層Ｌ１との間に生じている偏芯量によって発生するエラー信号が概ね「０」となるように第２記録層用ＨＲ１１２を光ディスクの径方向（トラッキング方向）に移動させる。【０１０５】
再生部Ｐは、出力端子ＯＵＴを有しており、制御部Ｃから供給される制御信号Ｓ１６に基づいて、第１記録層用ＨＲ１１１及び第２記録層用ＨＲ１１２から供給される受光信号Ｓ２、Ｓ３から再生信号を生成し、該再生信号に対応した再生データを出力端子ＯＵＴに出力する。また、再生部Ｐは、第１記録層用ＨＲ１１１から供給される受光信号Ｓ２から生成される再生信号Ｓ２５Ｌ０及び第２記録層用ＨＲ１１２から供給される受光信号Ｓ３から生成される再生信号Ｓ２５Ｌ１の夫々を信号処理部ＳＰに出力する。【０１０６】
ＬＰＰ／ウォブル検出回路ＬＰＤは、第１記録層用ＨＲ１１１から供給される受光信号Ｓ２からＬＰＰ信号成分及びウォブル信号成分を抽出すると共に、第２記録層用ＨＲ１１２から供給される受光信号Ｓ３からＬＰＰ信号成分及びウォブル信号成分を抽出する。そして、ＬＰＰ／ウォブル検出回路ＬＰＤは、検出したＬＰＰ／ウォブル検出信号Ｓ６を収差補正用ドライブ回路Ｓに供給する。【０１０７】
収差補正用ドライブ回路Ｓは、ＬＰＰ／ウォブル検出回路ＬＰＤからＬＰＰ／ウォブル検出信号Ｓ６を取得し、受光信号Ｓ２から抽出されたＬＰＰ信号成分及びウォブル信号成分と受光信号Ｓ３から抽出されたＬＰＰ信号成分及びウォブル信号成分との位相差を検出する。その後、収差補正用ドライブ回路Ｓは、検出した位相差に対応する位相差信号に基づいて、光ディスク１００にデータが記録されていなければ、ＬＰＰ／ウォブル検出信号Ｓ６や第２記録層のトラッキングエラー信号が最大になるように、収差補正素子１２１を制御する。言い換えれば、収差補正用ドライブ回路Ｓは、ＬＰＰ／ウォブル検出信号Ｓ６や第２記録層のトラッキングエラー信号が最大になるように、球面収差を補正する。或いは、収差補正用ドライブ回路Ｓは、光ディスク１００にデータが記録されていれば、第２記録層用ＨＲ１１２から出力される受光信号Ｓ３をＲＦアンプ（図示しない）にて生成増幅したＲＦ信号が最大となるように、収差補正素子１２１を制御する。【０１０８】
尚、本実施例においては、収差補正素子１２１は、第２記録層用ＨＲ１１２に対して設けられているが、当然第１記録層用ＨＲ１１１に対しても設けるように構成してもよい。但し、対物レンズ１０２を、第１記録装用ＨＲ１１１に対する球面収差がゼロとなるように光学設計すれば、同じ対物レンズを用いて基盤厚の異なる第２記録層Ｌ１に集光する際に球面収差が生ずる。このような事態を想定して、本実施例においては、第２記録層用ＨＲに対して収差補正素子１２１を設けている。【０１０９】
制御部Ｃは、主としてＣＰＵ（Central Processing Unit）により構成され、記録再生装置ＲＰの各部を制御する。記録再生装置ＲＰは、主に、再生部Ｐと、信号処理部ＳＰとを制御する。【０１１０】
更に、制御部Ｃは、再生部Ｐに制御信号Ｓ１６を供給すると共に、信号処理部ＳＰに制御信号Ｓ１７を供給して、前述のようにこれらを制御する。【０１１１】
（動作原理）
続いて、図６から図９を参照しながら、本実施例に係る記録再生装置ＲＰの動作原理（特に、記録動作に係る動作原理）について説明を進める。ここに、図６及び図７は夫々、光ディスクＤＫ及び対物レンズを、光ディスクＤＫ半径方向に対して垂直な方向から観察した模式図であり、図８は、本実施例に係る記録再生装置の動作原理を概略的に示すフローチャートであり、図９は、対応テーブルの一具体例を概念的に示すテーブルである。【０１１２】
図６に示すように、対物レンズ１０２を通過したＰ偏光光ビームＡ２とＳ偏光光ビームＢ２とは、光ディスクＤＫ上に集光される。Ｐ偏光光ビームＡ２の集光点Ｐ０とＳ偏光光ビームＢ２の集光点Ｐ１が、共に、対物レンズ１０２の中心軸ＣＡ上に概ね位置している。即ち、Ｐ偏光光ビームＡ２の光軸及びＳ偏光光ビームＢ２の光軸は、共に中心軸ＣＡに一致している。この場合、Ｓ偏光光ビームＢ２は、第１記録層Ｌ０上の集光点Ｐ０付近の符号Ｆ０で示す領域に照射されている。また、第１記録層Ｌ０を透過したＰ偏光光ビームＡ２は、第２記録層Ｌ１上の集光点Ｐ１付近の符号Ｆ１で示す領域に照射されている。【０１１３】
このとき、図７（ａ）に示すように、有限光学系にて光ピックアップＰＵを設計するように構成してもよい。有限光学系にて光ピックアップＰＵを設計すれば、部品点数の削減につながり、よりシンプルな光学系を実現することができると共に、第１記録層用ＨＲ１１１から照射される光ビームと、第２記録層用ＨＲ１１２から照射される光ビームとを、幾何光学的に分離することができる。【０１１４】
この場合、図７（ｂ）に示すように、例えばＰ偏光光ビームを１００％透過してホログラム動作せず、光ディスクＤＫからの戻り光のＳ偏光光ビームはホログラム動作して１００％受光素子に受光させるための偏光ホログラム素子１４１及び１４２と、λ／４板１５１を用いて光ビームを照射するように構成してもよい。即ち、アイソレート光学系を用いるように構成してもよい。アイソレート光学系を用いるように構成すれば、光ビームを無駄なく使用することが可能となる。この場合の出射偏光の種類は２つの光ビームともＰ偏光であってもよいし、２つの光ビームともＳ偏光であってもよいし、Ｐ偏光とＳ偏光の組み合わせであってもよい。【０１１５】
図６、図７（ａ）及び図７（ｂ）の何れの場合であっても、一方の記録層上における光ビームの集光点に、ある程度の記録パワーを持った他方の光ビームが照射されると、この集光点において２つの光ビームが干渉してしまう場合がある。これにより、集光点Ｐ０、Ｐ１において記録されるデータにクロスライトが生じてしまう可能性があり、これは第１記録層Ｌ０及び第２記録層Ｌ１に同時に記録を行うことの妨げとなる。【０１１６】
このため、本実施例に係る記録装置は、信号処理部ＳＰの動作により係るクロスライトの影響を排除して、データの記録動作を行なっている。【０１１７】
具体的には、図８に示すように、記録用のデータを記録する前に、先ず試し記録用のデータ（以降、適宜“試しデータ”と称する）が、第１記録層Ｌ０及び第２記録層Ｌ１の夫々に同時記録される（ステップＳ１０１）。このとき、試しデータは、記録用のデータを記録する際に邪魔にならないないしは障害を引き起こさない記録エリアに記録されることが好ましい。続いて、同時記録された試し記録用のデータが再生（同時再生）される（ステップＳ１０２）。【０１１８】
その後、制御部Ｃの制御の下に、信号処理部ＳＰの動作によりクロスライト量が算出される（ステップＳ１０３）。具体的に説明すると、信号処理部ＳＰ内の層間クロスライト除去回路２０８には、試しデータを記録する際に生成される第１記録信号Ｓ２１及び第２記録信号Ｓ２２の夫々がデータ分割回路２０５から供給され、更に、実際に記録された試しデータを再生することで得られる再生信号Ｓ２５Ｌ０及びＬ１とが供給される。仮にクロスライトが発生していなければ、第１記録信号Ｓ２１と再生信号Ｓ２５Ｌ０とは、更には第２記録信号Ｓ２２と再生信号Ｓ２５Ｌ１とは一致するはずである。言い換えれば、第１記録信号Ｓ２１と再生信号Ｓ２５Ｌ０とが、更には第２記録信号Ｓ２２と再生信号Ｓ２５Ｌ１とが一致していなければ、クロスライトが発生しているということになる。従って、第１記録信号Ｓ２１と再生信号Ｓ２５Ｌ０との差分及び第２記録信号Ｓ２２と再生信号Ｓ２５Ｌ１との差分を算出することで、クロスライト量を算出することができる。このとき、第１記録層Ｌ０に記録された試しデータの第１記録信号Ｓ２１と、第１記録層Ｌ０に記録された試しデータの再生信号Ｓ２５Ｌ０との差分から、第２記録層用ＨＲ１１２から出射された光ビームに起因して第１記録層Ｌ０に生じたクロスライト量が算出される。また、第２記録層Ｌ１に記録された試しデータの第２記録信号Ｓ２２と、第２記録層Ｌ１に記録された試しデータの再生信号Ｓ２５Ｌ１との差分から、第１記録層用ＨＲ１１１から出射された光ビームに起因して第２記録層Ｌ１に生じたクロスライト量が算出される。クロスライト量は、例えばデシベル（ｄＢ）の単位で算出される。【０１１９】
続いて、算出されたクロスライト量に基づいて、光ビームのパワーを調整するための最適調整値が算出される（ステップＳ１０４）。この調整値の算出は、例えば、図９に示すような、クロスライト量（ＣＷ量：Cross Write量）と光ビームのパワーの調整値との対応関係を示す対応テーブルに基づいてなされる。対応テーブルには、例えば、第１記録層Ｌ０（或いは、第２記録層Ｌ１）において所定のクロスライト量が算出された場合の、調整すべき光ビームのパワーの増分（ないしは、減分）が、例えば所定の基準パワーに対する割合（％）で規定されている。言い換えれば、対応テーブルには、第１記録層Ｌ０（或いは、第２記録層Ｌ１）のクロスライト量をキャンセルできる（具体的には、“０”にできる）ような光ビームのパワーの調整量が規定されている。【０１２０】
この対応テーブルは、記録再生装置ＲＰ内のメモリに予め格納されていてもよいし、光ディスクＤＫに予め記録されていてもよい。或いは、本発明の「作成手段」の一具体例を構成する制御部Ｃの制御の下に、ステップＳ１０３において算出されたクロスライト量とそのときに調整したパワー値とに基づいて、適宜作成するように構成してもよい。対応テーブルを適宜作成する場合には、記録用のデータの記録に先立って、例えば光ビームのパワーを連続的にないしは段階的に変化させながら所定回数試しデータを記録し、適宜クロスライト量を算出することが好ましい。【０１２１】
尚、対応テーブルは、図９に示した形態のものに限られないことは言うまでもない。例えば、所定の関数であってもよい。要は、算出されるクロスライト量から、好適にデータを記録することができる（例えば、クロスライト量を“０”にできるないしはキャンセルできる）光ビームのパワーを算出することができる情報であれば、上述した対応テーブルとして用いることができる。【０１２２】
そして、算出された最適調整量に基づいて、実際に光ビームのパワーが調整される（ステップＳ１０５）。即ち、第１記録層用ＨＲ１１１から出射される光ビーム及び第２記録層用ＨＲ１１２から出射される光ビームの夫々のないしは少なくとも一方のパワーが調整される。このとき、パワー以外の各パラメータ（例えば、波形の形状やマルチパルスの形状等）についても、第１記録層用ストラテジ条件回路２０６及び第２記録層用ストラテジ条件回路２０７の動作により、好適に設定されている。その後、実際に記録用のデータの記録が実行される（ステップＳ１０６）。【０１２３】
以上説明したように、本実施例に係る記録装置によれば、第１記録層用ＨＲ１１１及び第２記録層用ＨＲ１１２の夫々から同時に光ビームが出射されるため、第１記録層Ｌ０及び第２記録層Ｌ１の夫々に、データを同時記録することができる。これにより、記録再生装置ＲＰは、１層ずつデータを記録する場合と比較して記録速度を概ね２倍にすることができる。例えば、１層（単層）の記録層のみに対して１６ｘの記録速度（即ち、基準速度に対して１６倍程度の記録速度）でデータを記録可能な記録再生装置であれば、２層同時に記録することにより、３２ｘの記録速度を実現することができる。もちろん、データを再生する際も同様のことが言える。【０１２４】
更に、本実施例に係る記録再生装置ＲＰは、同時記録の際に問題となる複数の光ビームに起因して各記録層に生ずるクロスライトの影響を排除しながらデータを記録することができる。このため、第１記録層Ｌ０及び第２記録層Ｌ１の夫々に、好適にデータを同時記録することができる。【０１２５】
尚、図８のステップＳ１０５において光ビームのパワーを調整した後に、パワー調整後の光ビームで試しデータを更に記録するように構成してもよい。係る動作の態様について、図１０を参照しながら説明する。ここに、図１０は、本実施例に係る記録再生装置ＲＰの他の動作原理を概念的に示すフローチャートである。【０１２６】
図１０に示すように、ステップＳ１０１からステップＳ１０５が実行され、光ビームのパワーが調整される。その後、パワーを調整した光ビームを用いて、再度試しデータが第１記録層Ｌ０及び第２記録層Ｌ１の夫々に同時記録され、続いて同時記録された試しデータが再生され、クロスライト量が算出される（ステップＳ２０１）。この動作は、ステップＳ１０１からステップＳ１０３と同様の態様で行われる。【０１２７】
続いて、ステップＳ２０１において算出されたクロスライト量が“０”であるか否か（即ち、クロスライトが発生しているか否か）が判定される（ステップＳ２０２）。即ち、ステップＳ１０５においてパワーが調整された光ビームがクロスライトを発生させているか否かが判定される。クロスライト量が“０”であれば、光ビームのパワーはステップＳ１０５の段階で好適に調整されているため、そのまま記録用のデータの記録動作に進むことができると考えられる。他方、クロスライト量が“０”でなければ、光ビームのパワーはステップＳ１０５の段階で好適に調整されていないため、好適な記録動作を担保するためには、そのまま記録用のデータの記録動作に進むことなく、再度パワーを調整する必要があると考えられる。【０１２８】
この判定の結果、クロスライト量が“０”であると判定された場合（ステップＳ２０２：Ｙｅｓ）、そのまま記録用のデータの記録が実行される（ステップＳ１０６）。【０１２９】
他方、クロスライト量が“０”でないと判定された場合（ステップＳ２０２：Ｎｏ）、光ビームのパワーの調整値が変更され（ステップＳ２０３）、再度光ビームのパワーが調整される。その後、本発明の「修正手段」の一具体例を構成する制御部Ｃの制御の下に、ステップＳ２０３におけるパワーの調整結果に基づいて、対応テーブルが修正される（ステップＳ２０４）。その後、再度ステップＳ２０１に戻る。この動作が、クロスライト量が“０”になるまで続けられる。【０１３０】
これにより、クロスライト量が“０”になるまで光ビームのパワーの調整がなされるため、より好適に第１記録層Ｌ０及び第２記録層Ｌ１の夫々にデータを同時記録することが可能となる。【０１３１】
また、対応テーブルを用いることに加えて又は代えて、第１記録層Ｌ０及び第２記録層Ｌ１の夫々の記録・再生特性の測定結果（言い換えれば、クロスライト量の測定結果）に基づいて直接的にパワーを修正するように構成してもよい。係る構成について、図１１を参照しながら説明する。ここに、図１１は、本実施例に係る記録再生装置ＲＰの他の動作原理を概念的に示すフローチャートである。【０１３２】
図１１に示すように、初めに、第１記録層Ｌ０及び第２記録層Ｌ１の夫々に対して、個別的にＯＰＣ処理が行われる（ステップＳ３０１）。ＯＰＣ処理の結果、第１記録層Ｌ０へデータを記録する際の光ビームの最適なパワー及び第２記録層Ｌ１へデータを記録する際の光ビームの最適なパワーが取得される（ステップＳ３０２）。ここでは特に、第１記録層Ｌ０へデータを記録するときのパワーを“ＰＬ０−１”にて示し、第２記録層Ｌ１へデータを記録するときのパワーを“ＰＬ１−１”にて示す。【０１３３】
続いて、第２記録層Ｌ１へのデータの記録を行なうことなく、第１記録層Ｌ０へデータを記録する。即ち、第２記録層用ＨＲ１１２より光ビームを照射することなく、第１記録層用ＨＲ１１１より光ビームを照射する。このときの光ビームのパワーは、ステップＳ３０２において取得された“ＰＬ０−１”に設定される。そして、該データが記録されたＬ０層の再生特性が取得される（ステップＳ３０３）。再生特性として、例えばアシンメトリ値や、変調度や、ジッタ値や、エラーレート値や、ウォブル特性や、或いは他の特性等が一具体例として挙げられる。続いて、第２記録層Ｌ１にデータを記録しつつ、第１記録層Ｌ０にデータを記録する。即ち、第１記録層用ＨＲ１１１及び第２記録層用ＨＲ１１２の夫々より光ビームを照射する。このときの第２記録層用ＨＲ１１２から照射される光ビームのパワーは、ステップＳ３０２において取得された“ＰＬ１−１”に設定される。また、第１記録層用ＨＲ１１１から照射される光ビームのパワーは、連続的に或いは段階的に変わるように設定される。例えば、ステップＳ３０２において取得された“ＰＬ０−１”から連続的に或いは段階的に小さくなるように設定されてもよいし、或いは例えば、ステップＳ３０２において取得された“ＰＬ０−１”を中心の値として、光ビームのパワーが、“ＰＬ０−１”より小さなパワーから“ＰＬ０−１”より大きなパワーまで連続的に或いは段階的に大きくなるように設定されてもよい。そして、該データが記録された第１記録層Ｌ０の再生特性が取得される（ステップＳ３０４）。【０１３４】
その後、ステップＳ３０３において測定された再生特性と一致する再生特性がステップＳ３０４において測定されるようなパワー“ＰＬ０−２”が取得される（ステップＳ３０５）。言い換えれば、ステップＳ３０４において変更したパワーの範囲のうち、クロスライト量が概ね“０”となる（即ち、ステップＳ３０３及びステップＳ３０４の夫々において測定された再生特性が一致する）パワー“ＰＬ０−２”が取得される。【０１３５】
その後、実際のデータの記録動作の際に、以下のように光ビームのパワーが設定される（ステップＳ３０６）。具体的には、第１記録層用ＨＲ１１１及び第２記録層用ＨＲ１１２の夫々から記録パワーを有する光ビームが照射されている場合には、第１記録層Ｌ０へデータを記録するために第１記録層用ＨＲ１１１から照射される光ビームのパワーは、“ＰＬ０−２”に設定される。他方、第１記録層用ＨＲ１１１から記録パワーが照射され、且つ第２記録層用ＨＲ１１２から記録パワーを有する光ビームが照射されていない場合には、第１記録層Ｌ０へデータを記録するために第１記録層用ＨＲ１１１から照射される光ビームのパワーは、“ＰＬ０−１”に設定される。このように構成することで、上述したように、クロスライトの影響を排除しながらデータを記録することができる。【０１３６】
尚、図１１における説明では、第１記録層Ｌ０にデータを記録する場合の、第１記録層用ＨＲ１１１から照射される光ビームのパワーに着目して説明を進めている。しかしながら、第２記録層Ｌ１にデータを記録する場合の、第２記録層用ＨＲ１１２から照射される光ビームのパワーについても同様の動作が行なわれることは言うまでもない。【０１３７】
より具体的には、ステップＳ３０３において、上述した動作に代えて、第１記録層Ｌ０へのデータの記録を行なうことなく、第２記録層Ｌ１へデータを記録する。即ち、第１記録層用ＨＲ１１１より光ビームを照射することなく、第２記録層用ＨＲ１１２より光ビームを照射する。このときの光ビームのパワーは、ステップＳ３０２において取得された“ＰＬ１−１”に設定される。そして、該データが記録されたＬ１層の再生特性が取得される。続いて、ステップＳ３０４において、上述した動作に代えて、第１記録層Ｌ０にデータを記録しつつ、第２記録層Ｌ１にデータを記録する。即ち、第１記録層用ＨＲ１１１及び第２記録層用ＨＲ１１２の夫々より光ビームを照射する。このときの第１記録層用ＨＲ１１１から照射される光ビームのパワーは、ステップＳ３０２において取得された“ＰＬ０−１”に設定される。また、第２記録層用ＨＲ１１２から照射される光ビームのパワーは、連続的に或いは段階的に変わるように設定される。例えば、ステップＳ３０２において取得された“ＰＬ１−１”から連続的に或いは段階的に小さくなるように設定されてもよいし、或いは例えば、ステップＳ３０２において取得された“ＰＬ１−１”を中心の値として、光ビームのパワーが、“ＰＬ１−１”より小さなパワーから“ＰＬ１−１”より大きなパワーまで連続的に或いは段階的に大きくなるように設定されてもよい。そして、該データが記録された第２記録層Ｌ１の再生特性が取得される。【０１３８】
その後、ステップＳ３０５において、上述した動作に代えて、ステップＳ３０３において測定された再生特性と一致する再生特性がステップＳ３０４において測定されるようなパワー“ＰＬ１−２”が取得される。言い換えれば、ステップＳ３０４において変更したパワーの範囲のうち、クロスライト量が概ね“０”となる（即ち、ステップＳ３０３及びステップＳ３０４の夫々において測定された再生特性が一致する）パワー“ＰＬ１−２”が取得される。【０１３９】
その後、実際のデータの記録動作の際に、以下のように光ビームのパワーが設定される。第１記録層用ＨＲ１１１及び第２記録層用ＨＲ１１２の夫々から記録パワーを有する光ビームが照射される場合には、第２記録層Ｌ１へデータを記録するために第２記録層用ＨＲ１１２から照射される光ビームのパワーは、“ＰＬ１−２”に設定される。他方、第１記録層用ＨＲ１１１から記録パワーを有する光ビームが照射されていない状態で、第２記録層用ＨＲ１１２から記録パワーを有する光ビームが照射される場合には、第２記録層Ｌ１へデータを記録するために第２記録層用ＨＲ１１２から照射される光ビームのパワーは、“ＰＬ１−１”に設定される。このように構成することで、上述したように、クロスライトの影響を排除しながらデータを記録することができる。【０１４０】
（変形例）
続いて、図１２及び図１３を参照しながら、変形例に係る記録再生装置ＲＰ２について説明を進める。ここに、図１２は、変形例に係る記録再生装置ＲＰ２の基本構成を概念的に示すブロック図であり、図１３は、光ディスクＤＫ及び対物レンズを、光ディスクＤＫ半径方向に対して垂直な方向から観察した図である。尚、上述した記録再生装置ＲＰと同一の構成については同一の参照符号を付し、その詳細な説明を省略する。【０１４１】
図１２に示すように、変形例に係る記録再生装置ＲＰ２は、上述した記録再生装置ＲＰと同様の構成を有している。変形例に係る記録再生装置ＲＰ２は特に、第１記録層用グレーティング１３１と、第２記録層用グレーティング１３２と、第１記録層用ベリファイアンプＶＡ１と、第２記録層用ベリファイアンプＶＡ２とを備えている。【０１４２】
第１記録層用グレーティング１３１及び第２記録層用グレーティング１３２は、光ビームを回折させ、記録用のデータを記録するための記録用光ビームとベリファイに用いられるベリファイ用光ビームとを生成する。第１記録層用グレーティング１３１及び第２記録層用グレーティング１３２の夫々は、例えば多数のスリット（ないしは、溝）を有する透明基板を含んで構成されていてもよいし、或いは液晶スリットを含んで構成されていてもよい。【０１４３】
具体的には、第１記録層用グレーティング１３１は、第１記録層用ＨＲ１１１とビームスプリッタＢＳとの間に配置され、第２記録層用グレーティング１３２は、第２記録層用ＨＲ１３２とビームスプリッタＢＳとの間に配置される。そして、第１記録層用ＨＲ１１１から出射される光ビームが第１記録層用グレーティング１３１に入射することで、図１３に示すように、第１記録層Ｌ０に記録用のデータを記録するための記録用光ビームＡ２と、第１記録層Ｌ０をベリファイするためのベリファイ用光ビームＣ２と、が生成される。また、第２記録層用ＨＲ１１２から出射される光ビームが第２記録層用グレーティング１３２に入射することで、第２記録層Ｌ１に記録用のデータを記録するための記録用光ビームＢ２と、第２記録層Ｌ１をベリファイするためのベリファイ用光ビームＤ２と、が生成される。【０１４４】
尚、図１３において、光ディスクＤＫは、矢印Ｒの方向に回転している。即ち、光ビームは、矢印Ｒと逆の方向に進行する。この場合、第１記録層Ｌ０をベリファイするためのベリファイ用光ビームＣ２は、光ビームが進行する方向に対して、第１記録層Ｌ０に記録用のデータを記録するための記録用光ビームＡ２の集光点Ｐ０よりも後行する位置（点Ｑ０）に集光する。同様に、第２記録層Ｌ１をベリファイするためのベリファイ用光ビームＤ２は、光ビームが進行する方向に対して、第２記録層Ｌ１に記録用のデータを記録するための記録用光ビームＢ２の集光点Ｐ１よりも後行する位置（点Ｑ１）に集光する。【０１４５】
第１記録層用ベリファイアンプＶＡ１は、第１記録層用グレーティング１３１において生成された、第１記録層Ｌ０をベリファイするためのベリファイ用光ビームＣ２の反射光の受光信号を増幅し、ベリファイ信号Ｓ３１（即ち、上述の再生信号）として信号処理部ＳＰへ供給する。また、第２記録層用ベリファイアンプＶＡ２は、第２記録層用グレーティング１３２において生成された、第２記録層Ｌ１をベリファイするためのベリファイ用光ビームＤ２の反射光の受光信号を増幅し、ベリファイ信号Ｓ３２として信号処理部ＳＰへ供給する。【０１４６】
このような構成を備える変形例に係る記録再生装置ＲＰ２は、試しデータを記録してクロスライト量を算出することに加えて又は代えて、ベリファイ用光ビームを用いて実際に記録された記録用のデータを再生することでクロスライト量を算出する。具体的には、ベリファイ用光ビームにより所定の記録用のデータを再生し、第１記録層用ベリファイアンプＶＡ１から、ベリファイ信号Ｓ３１が信号処理部ＳＰに供給される。更に信号処理部ＳＰには、この所定の記録用のデータを記録した際の第１記録信号Ｓ２１が供給される。このベリファイ信号Ｓ３１と第１記録信号Ｓ２１とが比較されることで、第２記録層用ＨＲ１１２から出射される光ビームに起因して第１記録層Ｌ０に生ずるクロスライト量を算出することができる。以降は、上述の記録再生装置ＲＰと同様の動作が実行される。もちろん、第２記録層Ｌ１に関しても同様の動作が実行される。【０１４７】
このように、変形例に係る記録再生装置ＲＰ２によれば、試しデータを記録することなく、実際に記録されたデータからクロスライト量を算出することができる。このため、実際の記録の態様に応じて、クロスライト量が“０”となるように光ビームのパワーを調整することができる。従って、第１記録層Ｌ０及び第２記録層Ｌ１の夫々に、より好適にデータを同時記録することができる。更に、記録用光ビームに加えて、ベリファイ用光ビームが出射されるため、記録用のデータの記録動作を停止させることなく、クロスライト量を算出し、光ビームのパワーを調整することができる。これにより、記録用のデータの記録動作と並行してリアルタイムに光ビームのパワーを好適に調整することができ、その結果、第１記録層Ｌ０及び第２記録層Ｌ１の夫々に、より好適にデータを同時記録することができる。【０１４８】
尚、上述したようにベリファイ用の光ビームを別途生成しなくとも、例えばトラッキング制御の一方式である３ビームトラッキング方式を採用している場合には、３ビームのうちの例えば後行ビームを、上述したベリファイ用の光ビームとして用いるように構成してもよい。【０１４９】
なお、本発明は、２層型の光ディスクＤＫ用の記録再生装置への適用に限定はされず、３層以上の多層型の光ディスク用の記録再生装置に対しても適用することができる。この場合には、記録再生装置内の光ピックアップは、光ディスクの記録層の数に対応するだけのホログラムレーザを備える。そして、夫々のホログラムレーザから出射される光ビームによってクロスライトが発生しないように、信号処理部ＳＰの動作により、各光ビームのパワーが調整される。【０１５０】
また、レーザチップ及び受光素子等を一つにまとめて備えるホログラムレーザＨＲに代えて、レーザチップ及び受光素子を別個独立に備える構成を採用してもよい。【０１５１】
また、本発明の適用は、第１記録層Ｌ０及び第２記録層Ｌ１の両方にグルーブトラック及びランドトラックを設けた構成の光ディスクの記録再生装置には限定されない。即ち、第１記録層Ｌ０のみにグルーブトラック及びランドトラックを設け、第２記録層Ｌ１にはグルーブトラック及びランドトラックを設けていない光ディスクの記録再生装置に本発明を適用することも可能である。この場合は、例えば第１記録層Ｌ０に設けられたグルーブトラック及びランドトラックを用いて、第２記録層Ｌ１へのデータの記録が実行される。【０１５２】
なお、上記の実施例は、複数の記録層への同時記録について示したが、同様の原理によって、複数の記録層に記録されたデータの同時再生、および同時再生記録（具体的には、一の記録層にデータを記録しつつ、他の記録層に記録されたデータを再生する動作）も、クロスライトを生じることなく適切に行うことができる。したがって、記録再生装置ＲＰは、再生速度も向上させることができる。【０１５３】
また、上述の実施例では、光ディスクの具体例としてＤＶＤ等を、更には記録再生装置の一例として光ディスクに係るレコーダ或いはプレーヤについて説明したが、本発明は、ＤＶＤ等の光ディスク及びそのレコーダに限られるものではなく、他の高密度記録或いは高転送レート対応の各種記録媒体並びにそのレコーダ或いはプレーヤにも適用可能である。【０１５４】
本発明は、上述した実施例に限られるものではなく、請求の範囲及び明細書全体から読み取れる発明の要旨或いは思想に反しない範囲で適宜変更可能であり、そのような変更を伴なう記録装置及び方法、並びに記録制御用のコンピュータプログラムもまた本発明の技術的範囲に含まれるものである。
【産業上の利用可能性】
【０１５５】
本発明に係る記録装置及び記録方法、並びにコンピュータプログラムは、例えば、ＤＶＤレコーダ等の記録装置に利用可能である。また、例えば民生用或いは業務用の各種コンピュータ機器に搭載される又は各種コンピュータ機器に接続可能な記録装置等にも利用可能である。
【図１】
0004542583.tif 000002
【図２】
0004542583.tif 000003
【図３】
0004542583.tif 000004
【図４】
0004542583.tif 000005
【図５】
0004542583.tif 000006
【図６】
0004542583.tif 000007
【図７】
0004542583.tif 000008
【図８】
0004542583.tif 000009
【図９】
0004542583.tif 000010
【図１０】
0004542583.tif 000011
【図１１】
0004542583.tif 000012
【図１２】
0004542583.tif 000013
【図１３】
0004542583.tif 000014